(57)【要約】【課題】  従来、階層構造のデータ間の関連が分かり難く、データ間の往復などの無駄な操作が多く、所望のデータを探すことが困難であった。【解決手段】  本発明のデータ表示プログラム及び記録媒体及びシステムは、階層項目表示機能とデータ表示機能を有するものであり、前記階層項目表示機能は、異なる項目二以上を上位層として画面上に表示する上位層表示機能と上位層中で選択した項目に関連した項目を下位層中に表示させる下位層表示機能を備え、前記データ表示機能は選択された項目に関連する概要データの一覧等を画面上に表示する機能である。さらに、詳細データを表示する詳細データ表示機能、画面上の表示を切替え表示する切替え表示機能、下位層中の表示項目を上位層に合わせて切替え表示する項目切替え機能、階層構造を編集できる階層編集機能、初期表示画面を設定できる初期設定機能、データをデータベースに登録する登録機能をも備えることができる。【選択図】図１
2006301850.tif 000002
【特許請求の範囲】
【請求項１】
階層項目表示機能とデータ表示機能を有し、前記階層項目表示機能は、異なる項目二以上を上位層として画面上に表示する上位層表示機能と、二以上の上位層項目からいずれかの上位層項目が選択されると選択された上位層項目に関連する二以上の下位層項目を一又は二以上の階層に区分して前記画面上に表示する下位層表示機能を備え、前記データ表示機能は選択された上位層又は／及び選択された下位層の項目に関連する一又は二以上の概要データの一覧と概要データに関連する詳細データとの双方又は一方を前記画面上に表示する機能であり、それら階層項目表示機能とデータ表示機能とをコンピュータに実現させることを特徴とするデータ表示プログラム。
【請求項２】
請求項１記載のデータ表示プログラムにおいて、画面上に表示された一又は二以上の概要データのいずれかが選択されると選択された概要データに関連する詳細データを画面上に表示する詳細データ表示機能をコンピュータに実現させることを特徴とするデータ表示プログラム。
【請求項３】
請求項１又は請求項２記載のデータ表示プログラムにおいて、画面上に表示された上位層項目と下位層項目と概要データのいずれかを選択して画面上の表示を切替え表示する切替え表示機能をコンピュータに実現させることを特徴とするデータ表示プログラム。
【請求項４】
請求項１乃至請求項３のいずれかに記載のデータ表示プログラムにおいて、画面上に表示された上位層項目を切替え選択すると、下位層項目が切替え選択された上位層項目に関連した項目に切替わり表示される項目切替え機能をコンピュータに実現させることを特徴とするデータ表示プログラム。
【請求項５】
請求項１乃至請求項４のいずれかに記載のデータ表示プログラムにおいて、画面上に表示した上位層項目と下位層項目の双方又は一方を異なる項目内容に変更する項目変更表示、上位層と下位層の双方又は一方の階層の追加表示又は減少表示といった階層の編集が可能な階層編集機能をコンピュータに実現させることを特徴とするデータ表示プログラム。
【請求項６】
請求項１乃至請求項５のいずれかに記載のデータ表示プログラムにおいて、各階層について一つずついずれかの項目を選択した状態の上位層及び下位層と概要データ一覧及び／又は詳細データを初期状態として画面上に表示させる初期設定機能をコンピュータに実現させることを特徴とするデータ表示プログラム。
【請求項７】
請求項１乃至請求項６のいずれかに記載のデータ表示プログラムにおいて、画面上にデータ入力画面を表示して概要データ及び詳細データを入力可能とし、入力された概要データ及び詳細データを登録して、登録した概要データ及び詳細データを夫々画面上に表示可能とする登録機能をコンピュータに実現させることを特徴とするデータ表示プログラム。
【請求項８】
請求項１乃至請求項７のいずれかに記載のデータ表示プログラムを記録したことを特徴とするコンピュータ読み取り可能な記録媒体。
【請求項９】
情報端末と、情報端末とネットワークを介して通信接続されるサーバシステムとを備え、前記サーバシステムにはデータベースが備えられ、前記サーバシステムが階層項目表示機能とデータ表示機能とを有し、前記階層項目表示機能は、異なる項目二以上を上位層として情報端末の画面上に表示する上位層表示機能と、二以上の上位層項目からいずれかの上位層項目が選択されると選択された上位層項目に関連する二以上の下位層項目を一又は二以上の階層に区分して前記画面上に表示する下位層表示機能を備え、前記データ表示機能は選択された上位層又は／及び選択された下位層の項目に関連する一又は二以上の概要データの一覧と概要データに関連する詳細データとの双方又は一方を前記画面上に表示するものであることを特徴とするネットワークを用いたデータ表示システム。
【請求項１０】
請求項９記載のデータ表示システムにおいて、サーバシステムが、画面上に表示された概要データが選択されると概要データに関連する詳細データを画面上に表示する詳細データ表示機能を備えることを特徴とするデータ表示システム。
【請求項１１】
請求項９又は請求項１０記載のデータ表示システムにおいて、サーバシステムが、画面上に表示された上位層項目と下位層項目と概要データのいずれかを選択して画面上の表示を切替え表示する切替え表示機能を備えることを特徴とするデータ表示システム。
【請求項１２】
請求項９乃至請求項１１のいずれかに記載のデータ表示システムにおいて、サーバシステムが、画面上に表示された上位層項目を切替え選択すると、下位層項目が切替え選択された上位層項目に関連した項目に切替わり表示される項目切替え機能を備えることを特徴とするデータ表示システム。
【請求項１３】
請求項９乃至請求項１２のいずれかに記載のデータ表示システムにおいて、サーバシステムが、画面上に表示した上位層項目と下位層項目の双方又は一方を異なる項目内容に変更する項目変更表示、上位層と下位層の双方又は一方の階層の追加表示又は減少表示といった階層の編集が可能な階層編集機能を備えることを特徴とするデータ表示システム。
【請求項１４】
請求項９乃至請求項１３のいずれかに記載のデータ表示システムにおいて、サーバシステムが、各階層について一つずついずれかの項目を選択した状態の上位層及び下位層と概要データ一覧及び／又は詳細データを初期状態として画面上に表示させる初期設定機能を備えることを特徴とするデータ表示システム。
【請求項１５】
請求項９乃至請求項１４のいずれかに記載のデータ表示システムにおいて、サーバシステムが、画面上にデータ入力画面を表示して概要データ及び詳細データを入力可能とし、入力された概要データ及び詳細データを登録して、登録した概要データ及び詳細データを夫々画面上に表示可能とする登録機能を備えることを特徴とするデータ表示システム。
【発明の詳細な説明】
【技術分野】
【０００１】
本発明は、Ｗｅｂサイト等の、データが上位概念から下位概念へ二以上に階層化された階層構造をなして提供されるデータを表示するデータ表示プログラム、それを記録した記録媒体、それを用いたデータ表示システムに関し、階層構造を一目で把握することができ、所望のデータを容易に探し出すことができるデータ表示プログラム、それを記録した記録媒体、それを用いたデータ表示システムを提供するものである。
【背景技術】
【０００２】
上位概念から下位概念へ二以上に階層化された階層構造をなして提供されるデータとしては、例えば、インターネットを介して利用可能なＷｅｂサイト等がある。一般に、インターネットを介して利用可能なＷｅｂサイトは、複数のＷｅｂページで構成されており、複数のＷｅｂページがツリー構造と呼ばれる階層構造を形成してなるものである。Ｗｅｂサイトを構成するＷｅｂページに表示された言葉（文字）、ボタン、画像等にはリンクが設けられており、それらの言葉（文字）、ボタン、画像等をクリックしてリンク先のＷｅｂページを表示させることができる。ユーザは、リンクを辿って所望のＷｅｂページを表示させている。
【０００３】
また、ユーザが所望のＷｅｂページを表示させる場合には、検索サイトを用いてＷｅｂページを検索することもできる。検索サイトにおいては、関連するキーワードを入力して検索を開始し、そのキーワードに該当するＷｅｂページを示すＵＲＬ情報やタイトル等が検索結果として一覧表示される。ここで、所望のＵＲＬ情報やタイトル等をクリックすることにより、そのページが画面上に表示される。表示されるＷｅｂページはＷｅｂサイトのトップページであったり、その中の１ページであったりする。
【発明の開示】
【発明が解決しようとする課題】
【０００４】
しかし、前記のＷｅｂページ内のリンクを辿って所望のＷｅｂページを表示するデータ表示方法、及び検索サイトにおいて検索して所望のＷｅｂページを表示するデータ表示方法には、次のような課題がある。
（１）リンクを辿って所望のＷｅｂページを表示する場合、表示されたＷｅｂページがどのＷｅｂサイトの中の一部なのか、或いはそのＷｅｂサイトに他にどのようなＷｅｂページが含まれているのかは、そのページのリンクを辿って他のＷｅｂページを表示させない限り分からないため、Ｗｅｂページ間の関連が分かりにくくなる。そのため、所望のＷｅｂページを表示できずに迷ってしまうおそれもある。
（２）また、リンクを辿って所望のＷｅｂページを表示する場合、Ｗｅｂサイトを構成する各ページの内容や構成、他のページとの関連が分からないために、ページ間をリンクを辿って幾度となく往復するといった無駄な操作が多く発生してしまうという不都合がある。
（３）検索サイトにおいて検索して所望のＷｅｂページを表示する場合も、検索のためにキーワードを入力しなければならず、手間がかかる。この場合、ユーザが自分でキーワードを入力する必要があるが、キーワードの入力を誤る可能性もあり、所望のＷｅｂページへ到達できない場合もある。
（４）また、検索サイトにおいて検索する場合、入力するキーワードによっては、所望のＷｅｂページ以外のＷｅｂページが検索結果として多く表示されたり、逆に全く表示されなかったりして、所望のＷｅｂページを探すのに手間と時間がかかる。キーワードの入力には慣れと熟練が必要である。
（５）検索サイトにおいて検索する場合にはアクセス数の多い順に検索結果が表示されるが、個人や中小企業等のＷｅｂサイトは、アクセス数が少なく検索結果の上位に表示されにくいため、特に探し出しにくい。また、Ｗｅｂサイトで情報を提供する個人や中小企業等も、Ｗｅｂサイトによる宣伝広告効果が十分に見込めない。
【課題を解決するための手段】
【０００５】
本発明は、上記課題を解決し、複数のＷｅｂページがツリー構造をなして形成されたＷｅｂサイト等のように、上位概念から下位概念へ二以上に階層化されたデータにおいて、データ間の関連が分かりやすく、データ間の往復などの無駄な操作を無くし、所望のデータを誰でも容易に且つ短時間で探すことができる、データ表示プログラム、それを記録した記録媒体、それを用いたデータ表示システムを提供するものである。
【０００６】
本願の第１の発明は、階層項目表示機能とデータ表示機能を有し、前記階層項目表示機能は、異なる項目二以上を上位層として画面上に表示する上位層表示機能と、二以上の上位層項目からいずれかの上位層項目が選択されると選択された上位層項目に関連する二以上の下位層項目を一又は二以上の階層に区分して前記画面上に表示する下位層表示機能を備え、前記データ表示機能は選択された上位層又は／及び選択された下位層の項目に関連する一又は二以上の概要データの一覧と概要データに関連する詳細データとの双方又は一方を前記画面上に表示する機能であり、それら階層項目表示機能とデータ表示機能とをコンピュータに実現させるデータ表示プログラムであって、データ間の関連が分かりやすく、操作の無駄もなく、所望のデータを容易且つ迅速に探すことができるものである。
【０００７】
本願の第２の発明は、画面上に表示された概要データが選択されると概要データに関連する詳細データを画面上に表示する詳細データ表示機能をコンピュータに実現させる前記データ表示プログラムであって、階層項目（階層構造）と詳細データとを同じ画面内で表示することができ、データ間の往復なく所望の情報を迅速に得ることができるものである。
【０００８】
本願の第３の発明は、画面上に表示された上位層項目と下位層項目と概要データのいずれかを選択して画面上の表示を切替え表示する切替え表示機能をコンピュータに実現させる前記データ表示プログラムであって、データ間の往復なく迅速に表示画面を切替えることができるものである。
【０００９】
本願の第４の発明は、画面上に表示された上位層項目を切替え選択すると、下位層項目が切替え選択された上位層項目に関連した項目に切替わり表示される項目切替え機能をコンピュータに実現させる前記データ表示プログラムであって、上位概念から下位概念へ二以上に階層化された階層構造となっているデータ間の関係が一目で把握できるようにしたものである。
【００１０】
本願の第５の発明は、画面上に表示した上位層項目と下位層項目の双方又は一方を異なる項目内容に変更する項目変更表示、上位層と下位層の双方又は一方の階層の追加表示又は減少表示といった階層の編集が可能な階層編集機能をコンピュータに実現させる前記データ表示プログラムであって、ユーザが所望のデータを探し出すのに最適な画面表示構成を選択できるようにしたものである。
【００１１】
本願の第６の発明は、各階層について一つずついずれかの項目を選択した状態の上位層及び下位層と概要データ一覧及び／又は詳細データを初期状態として画面上に表示させる初期設定機能をコンピュータに実現させる前記データ表示プログラムであって、最下位層まで項目を選択していない場合であっても、画面上に概要データを表示させておくことができ、ユーザのデータの検索等に役立てることができるものである。
【００１２】
本願の第７の発明は、画面上にデータ入力画面を表示して概要データ及び詳細データを入力可能とし、入力された概要データ及び詳細データを登録して、登録した概要データ及び詳細データを夫々画面上に表示可能とする登録機能をコンピュータに実現させる前記データ表示プログラムであって、データが登録さえされていれば、アクセス数の多寡にかかわらず表示され、規模の小さい情報であっても探し出しやすく、情報提供者側も情報提供の効果が十分に見込めるようにしたものである。
【００１３】
本願の第８の発明は、前記データ表示プログラムを記録したコンピュータ読み取り可能な記録媒体であって、保存、運搬を可能として、個人や企業等に頒布可能としたものである。
【００１４】
本願の第９の発明は、情報端末と、情報端末とネットワークを介して通信接続されるサーバシステムとを備え、前記サーバシステムにはデータベースが備えられ、前記サーバシステムが階層項目表示機能とデータ表示機能とを有し、前記階層項目表示機能は、異なる項目二以上を上位層として情報端末の画面上に表示する上位層表示機能と、二以上の上位層項目からいずれかの上位層項目が選択されると選択された上位層項目に関連する二以上の下位層項目を一又は二以上の階層に区分して前記画面上に表示する下位層表示機能を備え、前記データ表示機能は選択された上位層又は／及び選択された下位層の項目に関連する一又は二以上の概要データの一覧と概要データに関連する詳細データとの双方又は一方を前記画面上に表示するものとしたネットワークを用いたデータ表示システムであって、データ間の関連が分かりやすく、操作の無駄もなく、所望のデータを容易且つ迅速に探すことができるものである。
【００１５】
本願の第１０の発明は、サーバシステムが、画面上に表示された概要データが選択されると概要データに関連する詳細データを画面上に表示する詳細データ表示機能を備える前記ネットワークを用いたデータ表示システムであって、階層項目（階層構造）と詳細データとを同じ画面内で表示することができ、データ間の往復なく所望の情報を迅速に得ることができる。
【００１６】
本願の第１１の発明は、サーバシステムが、画面上に表示された上位層項目と下位層項目と概要データのいずれかを選択して画面上の表示を切替え表示する切替え表示機能を備える前記データ表示システムであって、データ間の往復なく迅速に表示画面を切替えることができるものである。
【００１７】
本願の第１２の発明は、サーバシステムが、画面上に表示された上位層項目を切替え選択すると、下位層項目が切替え選択された上位層項目に関連した項目に切替わり表示される項目切替え機能を備える前記ネットワークを用いたデータ表示システムであって、上位概念から下位概念へ二以上に階層化された階層構造となっているデータ間の関連が一目で把握できるようにしたものである。
【００１８】
本願の第１３の発明は、サーバシステムが、画面上に表示した上位層項目と下位層項目の双方又は一方を異なる項目内容に変更する項目変更表示、上位層と下位層の双方又は一方の階層の追加表示又は減少表示といった階層の編集が可能な階層編集機能を備える前記ネットワークを用いたデータ表示システムであって、ユーザが所望のデータを探し出すのに最適な画面表示構成を選択できるようにしたものである。
【００１９】
本願の第１４の発明は、サーバシステムが、各階層について一つずついずれかの項目を選択した状態の上位層及び下位層と概要データ一覧及び／又は詳細データを初期状態として画面上に表示させる初期設定機能を備える前記ネットワークを用いたデータ表示システムであって、最下位層まで項目を選択していない場合であっても、画面上に概要データを表示させておくことができ、ユーザのデータの検索等に役立てることができるものである。
【００２０】
本願の第１５の発明は、サーバシステムが、画面上にデータ入力画面を表示して概要データ及び詳細データを入力可能とし、入力された概要データ及び詳細データを登録して、登録した概要データ及び詳細データを夫々画面上に表示可能とする登録機能を備える前記ネットワークを用いたデータ表示システムであって、データが登録さえされていれば、アクセス数の多寡にかかわらず表示され、規模の小さい情報であっても探し出しやすく、情報提供者側も情報提供の効果が十分に見込めるようにしたものである。
【発明の効果】
【００２１】
本願の請求項１のデータ表示プログラム及び請求項９のネットワークを利用したデータ表示システムは、異なる項目二以上を一つの上位層として情報端末の画面上に表示し、上位層の項目が選択されると選択された項目に関連する下位層の項目二以上を一又は二以上の階層に区分して表示して、上位層と下位層のいずれの項目も選択可能とし、選択された項目に関連する一又は二以上の概要データの一覧と概要データに関連する詳細データとの双方又は一方を前記画面上に表示するものとしたので、次のような効果がある。
（１）Ｗｅｂサイト等のデータ全体の階層構造を一目で把握することができ、階層を異にする各データ間の関連も分かりやすく、所望のデータを容易に探し出して即座に閲覧することができる。
（２）各データ間の関連も分かり易く、上位層中及び下位層中のいずれに表示された項目をも選択可能としたため、データ間をリンクを辿って幾度となく往復するといった無駄な操作も必要なく、少ない操作で容易に所望のデータを探し出して閲覧することができる。
（３）概要データの一覧を参照しながら上位層中、下位層中から項目を選択して所望のデータを探すことができるので、何度も詳細データを表示させることなく所望のデータを迅速に探すことができる。
（４）検索キーワードを入力する手間も必要ないため、誰でも容易に所望のデータを探し出すことができる。
【００２２】
本願の請求項２のデータ表示プログラム及び請求項１０のネットワークを利用したデータ表示システムは、画面上に表示された概要データを選択すると、その概要データに関連した詳細データを表示するので、上記各効果に加えて、次のような効果もある。
（１）階層項目と詳細データとを同じ画面内で表示することができ、データ間の往復なく所望の情報を迅速に得ることができる。
（２）概要データを見て簡単に概要を把握した上で、詳細データを閲覧することができるので、いくつもデータを閲覧する必要がなく、所望のデータを少ない操作で的確に得ることができる。
【００２３】
本願の請求項３のデータ表示プログラム及び請求項１１のネットワークを利用したデータ表示システムは、画面上に表示された上位層項目と下位層項目と概要データのいずれかを選択して画面上の表示を切替え表示するので、上記各効果に比べて、次のような効果もある。
（１）データ間の往復なく迅速に表示画面を切替えることができ、迅速且つ連続して所望の情報を得ることができる。また、ユーザのストレスも少なくなる。
【００２４】
本願の請求項４のデータ表示プログラム及び請求項１２のネットワークを利用したデータ表示システムは、画面上に表示された上位層項目を切替え選択すると、下位層項目が切替え選択された上位層項目に関連した項目に切替わり表示されるようにしたので、上記各効果に加えて、次のような効果もある。
（１）上位層中で選択されている項目を切替えても、下位層中の項目がそれに対応する項目を即座に切替え表示するので、いつでも階層構造となっているデータ間の関連を一目で把握でき、迷うことがない。
（２）下位層中の表示項目が上位層中の選択項目に合わせて即座に切替わるため、所望データの検索もスムースに行うことができ、ユーザのストレスも少ない。
【００２５】
本願の請求項５のデータ表示プログラム及び請求項１３のネットワークを利用したデータ表示システムは、画面上に表示した上位層項目と下位層項目の双方又は一方を異なる項目内容に変更する項目変更表示、上位層と下位層の双方又は一方の階層の追加表示又は減少表示といった階層の編集ができるので、上記各効果に加えて、次のような効果もある。
（１）ユーザが所望のデータを探し出すのに最適な画面表示構成を選択できる。従って、例えば予算、地域、目的等の階層を追加したり、順番を入替えたりしながら最適なデータを探すことができる。
【００２６】
本願の請求項６のデータ表示プログラム及び請求項１４のネットワークを利用したデータ表示システムは、各階層について一つずついずれかの項目を選択した状態の上位層及び下位層と概要データ一覧及び／又は詳細データを初期状態として画面上に表示させるので、上記各効果に加えて、次のような効果もある。
（１）最下位層まで項目を選択しなくても、常に画面上に概要データや詳細データを表示させておくことができ、ユーザはそれを見ながらデータ探しができるので、より的確に所望のデータを探すことができるものである。
【００２７】
本願の請求項７のデータ表示プログラム及び請求項１５のネットワークを利用したデータ表示システムは、画面上にデータ入力画面を表示して概要データ及び詳細データを入力可能とし、入力された概要データ及び詳細データを登録して、登録した概要データ及び詳細データを夫々画面上に表示可能とするので、上記各効果に加えて、次のような効果も有する。
（１）登録さえ行われていれば、アクセス数の多寡にかかわらず登録した詳細データ、概要データが表示されるため、規模の小さい情報であっても探し出しやすく、情報を提供した個人や中小企業等も情報提供の効果が十分に見込める。
（２）提供したいデータ以外のデータを登録させないことによって、提供するのにふさわしくない情報等を排除することができ、データ検索機能としての利用価値も高まる。
【００２８】
本願の請求項８の記録媒体は、前記データ表示プログラムを記録したコンピュータ読み取り可能な記録媒体であるため、上記各効果に加えて、次のような効果もある。
（１）データ表示プログラムを保存・運搬することができるので、このプログラムを用いてデータを効率的に提供したいと希望する個人、企業等に頒布することができる。
【発明を実施するための最良の形態】
【００２９】
（実施形態１）
本発明のデータ表示プログラム、そのプログラムを記録した記録媒体、ネットワークを利用したデータ表示システムの実施形態の一例を、図１〜図９に基づいて説明する。本発明のデータ表示システムは、Ｗｅｂサイト等のような、上位概念から下位概念へ二以上に階層化された階層構造を有するデータを、データ間の関連を一目で把握できるように、異なる項目二以上を上位層として情報端末の画面上に表示し、上位層の項目が選択されると選択された項目に関連する下位層の項目二以上を一又は二以上の階層に区分して表示して、上位層と下位層のいずれの項目も選択可能とし、選択した項目内のデータの概要表示である概要データの一覧を階層項目とともに表示するシステムである。概要データの一覧から一の概要データを選択すると、その詳細データが表示されるようにしたものである。
【００３０】
本実施形態では、本発明のデータ表示システムを、タウン情報提供サイト（Ｗｅｂサイト）における、店舗情報やイベント情報等のタウン情報の提供に利用した場合について説明する。もっとも、本発明のデータ表示プログラム、それを記録した記録媒体、データ表示システムは、タウン情報提供サイト以外のサイト、例えば企業検索サイト等における情報提供に利用したり、企業等の団体内部における情報提供システム、例えばイントラネットを用いての社員等の団体の構成員への情報提供に利用したりすることもできる。
【００３１】
本発明のデータ表示システムは、図１に示す構成で形成されている。図１のデータ表示システムは、不特定多数のユーザが使用する情報端末１と、サーバシステム２とがネットワーク３を介して通信接続されて備えられている。図１では、ネットワーク３にはインターネットを用いているが、その他の通信ネットワークを用いることもできる。
【００３２】
前記情報端末１は、ネットワーク３の利用が可能なパソコン、携帯電話、他のモバイル機器等であり、表示装置（ディスプレイ）と入力装置（キーボード、マウス等）を備え、ネットワークの利用が可能なものであれば任意の端末を用いることができる。情報端末１は、静止画、動画、音楽等を表示、再生可能なものであってもよい。
【００３３】
サーバシステム２は図１に示すように、情報端末１からネットワーク３を介してアクセス可能なものであり、データを記憶するデータベース４を備えているコンピュータである。サーバシステム２は、Ｗｅｂサイト（タウン情報提供サイト）を形成して情報を提供する手段と、データベース４にタウン情報データを記憶する手段とを有する。図１のサーバシステム２は、Ｗｅｂサイト（タウン情報提供サイト）を形成し、Ｗｅｂサイトによって、ネットワーク３を介してデータ（タウン情報データ）を提供している。
【００３４】
サーバシステム２には、本発明のデータ表示プログラムが組み込まれている。本実施形態のサーバシステム２は、前記データ表示プログラムを起動させることによって、図２に示すように、階層項目表示機能５、データ表示機能６、詳細データ表示機能７、表示切替え機能７０、項目切替え機能８、階層編集機能９、初期設定機能１０、登録機能１１を始めとする各種機能を実現可能な端末にしてある。本実施形態のサーバシステム２には、前記各機能を始めとする各種機能が備えられている。
また、前記データ表示プログラムは、フロッピーディスク（登録商標）、ＣＤ−ＲＯＭ、ＭＯ、ＤＶＤ−ＲＯＭ等の、任意のコンピュータ読み取り可能な記録媒体に記憶させて、データ表示ソフトとして提供することができる。
【００３５】
前記階層項目表示機能５は、データベース４内に上位概念から下位概念へ二以上に階層化されて管理されたデータ（タウン情報データ）の階層項目（階層構造）を複数階層に分けて情報端末１のディスプレイ（画面）上に表示する機能であって、各階層中に複数個ずつ含まれている項目のうち、いずれの項目をも選択可能とした機能である。階層項目表示機能５には、図２に示すように、上位層表示機能５ａ及び下位層表示機能５ｂが設けられている。
上位層表示機能５ａは、異なる項目二以上を上位層（第一階層１３、第四階層１６）として情報端末１の画面上に表示し、下位層表示機能５ｂは、二以上の上位層項目からいずれかの上位層項目が選択されると選択された上位層項目に関連する二以上の下位層項目を一又は二以上の階層に区分して下位層（第二階層１４、第三階層１５、第五階層１７）として前記画面上に表示する機能である。表示する階層数は、３〜５階層が主であるが、これには限られず、任意数の階層を表示することができる。
【００３６】
図３に示す本実施形態のタウン情報サイトのメイン画面１２においては、階層項目（階層構造）は次の（１）〜（５）のように構成されている。もっとも、図３のメイン画面１２中の階層項目はあくまでも一例であって、これ以外の構成であってもよい。
（１）情報を閲覧する地方を選択する第一階層１３。第一階層１３内には、例えば、北海道、東北、関東、中部、近畿、中国、四国、九州等の地方名が項目として列挙されている。
（２）上記第一階層１３内で選択された地方をさらに細分化した地域区分を選択する第二階層１４。第二階層１４内には、例えば、第一階層１３で「関東」が選択されていれば、それに対応させて、茨城、栃木、群馬、埼玉、千葉、東京２３区、東京都下、神奈川等の地域区分が項目として表示される。
（３）上記第二階層１４内で選択された地域区分をさらに細分化した地域区分を選択する第三階層１５。第三階層１５内には、例えば、第二階層１４で「東京２３区」が選択されていれば、それに対応させて、全域、千代田・中央・港、新宿・中野、世田谷・杉並、大田・品川、練馬・豊島、板橋・北、台東・文京、墨田・江東、足立・荒川、葛飾・江戸川等の地域区分が項目として表示される。
（４）上記第一階層１３〜第三階層１５において選択した地域内において得たい情報内容を選択する第四階層１６。第四階層１６内には、例えば、街・特集、装う、食べる、住まい、遊ぶ、学ぶ、耳寄り、等の情報内容が項目として表示される。
（５）上記第四階層１６において選択した情報内容をさらに細分化した情報内容を選択する第五階層１７。第五階層１７内には、例えば、第四階層１６で「食べる」が選択されていれば、食べる（食事全般）、和食、洋食、中華、イタリア、フランス、ドイツ、ヨーロッパ全般、東南アジア、エスニック、その他等の情報内容が項目として表示される。
【００３７】
図３に表示された各階層１３〜１７内の各項目は、いずれも選択可能であって、選択するとその項目の画面上の表示色が変化したり、目印が表示される等して、その項目を選択していることが一目でわかるようにしてある。
【００３８】
前記データ表示機能６は、上記階層項目の各階層１３〜１７内で選択した項目に含まれるデータの概要表示である概要データ１８を一覧表示する概要データ一覧１９を、前記階層項目表示機能５によって表示される階層項目とともに情報端末１の画面上に表示する機能である。概要データ１８は、データベース４内に登録されている。データベース４内に、階層項目の各階層１３〜１７内で選択した項目に対応するデータが一件も登録されていない場合には、概要データ１８は表示されない（図６参照。）。また、データベース４内に、選択した項目に含まれるデータが一つしか登録されていない場合には、概要データ１８の表示に代えて、詳細データ２１（図５参照。）を表示させることも可能である。また、データ表示機能６は、概要データ一覧１９と詳細データ２１の双方を表示させるようにすることもできる。
【００３９】
図３のタウン情報サイトのメイン画面１２中、概要データ一覧１９には、階層項目の各階層１３〜１７内で選択した項目に含まれる概要データ１８を、例えば４、５件ずつ等、所定数ずつ表示している。一画面で全ての概要データ１８を表示できない場合には、画面を切替えて、階層項目の各階層１３〜１７内で選択した項目に含まれる概要データ１８を全て表示することができる。概要データ１８は、例えばデータベース４に登録された新しい順に表示させる等、任意の順で表示させることができる。概要データ一覧１９には、一画面で階層項目の各階層１３〜１７内で選択した項目に含まれる概要データ１８を全て表示するようにすることもできる。各概要データ１８には、図３に示すように、店名等の情報提供者名、１〜２行の文章、電話番号、住所、画像等のデータが含まれている。
【００４０】
概要データ表示機能６は、階層項目の各階層１３〜１７内で選択した項目に含まれる概要データを、概要データ一覧において一覧表示する機能であって、例えば、図３に示すメイン画面１２中には、タウン情報提供サイトにおいて、第一階層１３で「関東」、第二階層１４で「東京２３区」、第三階層１５で「全域」、第四階層１６で「食べる」、第五階層１７で「食べる（食事全般）」を選んだ場合の概要データ一覧１９が表示されている。図３の概要データ一覧１９には、和食、洋食、中華、イタリア、フランス等の各ジャンルの店舗の概要データ１８が表示されている。
ここで、第五階層１７における選択項目を「食べる（食事全般）」から「中華」に変更すると、図４に示すように、概要データ一覧１９中の概要データ１８は、全て中華料理に関するもののみに切替わる。
【００４１】
前記詳細データ表示機能７は、図３、図４に示すような概要データ一覧１９に一覧表示された概要データ１８を選択可能とし、概要データ１８を選択すると、図５に示す詳細データ表示欄２０を表示してその概要データ１８に関連した詳細データ２１を表示する機能である。詳細データ２１は、概要データ１８とともにデータベース４内に登録されている。
【００４２】
前記図５に示す詳細データ表示欄２０は、前記図４の概要データ１８を選択して表示させたものである。本実施形態では、図に示すように、詳細データ表示欄２０を表示させると、第五階層１７が隠されるようにしてあるが、第五階層１７を表示させたまま詳細データ表示欄２０を表示させることも当然可能である。表示される詳細データ２１には、画像（地図を含み最大三枚）、詳細な紹介文、住所、電話番号等、前記概要データ１８よりも詳細な情報が含まれる。
【００４３】
前記表示切替え機能７０は、図３のタウン情報サイトのメイン画面１２を表示している場合や、図５に示すように詳細データ表示欄２０内で詳細データ２１を表示している場合に、画面上に表示された上位層項目と下位層項目と概要データのいずれかを選択して画面上の表示を切替え表示する機能である。
【００４４】
従って、例えば、画面に図５の詳細データ表示欄２０内で詳細データ２１を表示している場合に、第一階層１３〜第四階層１６のいずれかの項目を選択するか、Ｗｅｂブラウザで表示画面を戻す操作を行うことによって、図３、図４のような、第五階層１７及び概要データ１８一覧を表示した画面に再び切り替えることができる。
【００４５】
前記項目切替え機能８は、情報端末１の画面上に表示された階層項目の上位層項目を切替え選択すると、下位層項目が切替え選択された上位層項目に関連した項目に切替わり表示される機能である。
【００４６】
例えば、図３に示すように、第一階層１３で「関東」を選択すれば、第二階層１４には、茨城、栃木、群馬、埼玉、千葉、東京２３区、東京都下、神奈川等の、関東地方の地域区分が項目として表示され、初期設定で第二階層１４で「東京２３区」が選択されるようにしてあれば、それに対応させて、第三階層１５には全域、千代田・中央・港、新宿・中野、世田谷・杉並、大田・品川、練馬・豊島、板橋・北、台東・文京、墨田・江東、足立・荒川、葛飾・江戸川等の地域区分が項目として表示される。
ここで、図６に示すように、第一階層１３を「東北」に切替えると、第二階層１４には、青森、岩手、宮城、秋田、山形、福島等の東北地方の地域区分が項目として表示され、初期設定で第二階層１４で「宮城」が選択されるようにしてあれば、それに対応させて、第三階層１５には全域、仙台、石巻、気仙沼、古川、角田、白石等の地域区分が項目として表示される。また、概要データ一覧１９もそれに対応して切替わる。
本実施形態では、第一階層１３〜第三階層１５の、表示項目の切替えは、第四階層１６、第五階層１７の表示項目の内容に影響しないようにしてある。もっとも、第一階層１３〜第三階層１５の表示項目の切替えに伴って、第四階層１６、第五階層１７の表示項目も切替わるようにすることもできる。
【００４７】
また、図３に示すように、第四階層１６で「食べる」を選択すれば、第五階層１７では、食べる（食事全般）、和食、洋食、中華、イタリア、フランス、ドイツ、ヨーロッパ全般、東南アジア、エスニック、その他等の情報内容が項目として表示される。
ここで、図７に示すように、第四階層１６を「装う」に切替えると、第五階層１７では、装う（ファッション全般）、ブランド品、女性用衣類、男性用衣類、子供用衣類、ベビー用衣類、靴、カバン・バッグ、アクセサリー、香水等の情報内容が項目として表示される。また、概要データ一覧１９もそれに対応して切替わる。
本実施形態では、第四階層１６、第五階層１７の表示項目の切替えは、第一階層１３〜第三階層１５の表示項目の内容に影響しないようにしてある。もっとも、第四階層１６、第五階層１７の表示項目の切替えに伴って、第一階層１３〜第三階層１５の表示項目も切替わるようにすることもできる。
【００４８】
前記階層編集機能９は、画面上に表示した上位層項目と下位層項目の双方又は一方を異なる項目内容に変更する項目変更表示、上位層と下位層の双方又は一方の階層の追加又は減少、階層の入替え等といった階層の編集ができる機能である。
【００４９】
従って、例えば図３のメイン画面１２においては、第一階層１３〜第三階層１５までが、情報を提供する地方及び地域を選択する地域選択階層であって、第四階層１６、第五階層１７が、どのような情報を得たいのかを選択する情報内容選択階層であったが、図８に示すように、これを逆にして、まず得たい情報の内容を第一階層１３〜第三階層１５から選択して、その後どの地方及び地域の情報が得たいのかを第四階層１６、第五階層１７から選択するようにすることもできる。
また、図３の第一階層１３〜第五階層１７に加えて、予算がいくら以内かを選択する予算選択階層や、人数が何人かを選択する人数選択階層等の他の任意の階層を追加することもできる。この場合、探し出せるデータを絞り込みやすくなる。もっとも、図３の第一階層１３〜第五階層１７を減少させることもできる。
【００５０】
前記初期設定機能１０は、一つずつ項目を選択した状態の各階層と、概要データ一覧１９及び／又は詳細データ２１を初期状態として情報端末１の画面上に表示させる機能である。どの階層の項目も選択していない場合や、最上位層の項目のみを選択した場合等、最下位層の項目まで選択していない場合であっても、予め設定された、最下位層の項目まで選択した状態の各階層１３〜１７及び概要データ一覧１９及び／又は詳細データ２１を初期状態として表示させることができる。もっとも、概要データ一覧１９とともに詳細データ２１を表示したり、概要データ一覧１９に代えて詳細データ２１を表示したりすることもできる。従って、最下位層まで項目を選択しなくても、常に画面上に概要データを表示させておくことができ、ユーザはそれを見ながらデータ探しができるので、より的確に所望のデータを探すことができるようになる。
【００５１】
例えば、あるユーザが、ネットワーク３を介してサーバシステム２にアクセスすると、階層項目の各階層１３〜１７内においてどの項目も選択していない場合であっても、図３に示すように、第一階層１３で「関東」、第二階層１４で「東京２３区」、第三階層１５で「全域」、第四階層で「食べる」、第五階層で「食べる（食事全般）」を選択した状態の階層項目と概要データ一覧１９を、初期設定として自動的に表示するようにすることができる。
さらに、例えば、第一階層を「東北」に切替えると、図６に示すように、第二階層１４で「宮城」、第三階層１５で「全域」、第四階層で「食べる」、第五階層で「食べる（食事全般）」を選択した状態の階層項目の各階層１３〜１７内と概要データ一覧１９を、初期設定として自動的に表示するようにすることができるようにすることもできる。
上記のように、最下位層の項目まで選択していない場合であっても、予め設定された、最下位層の項目まで選択した状態の各階層及び概要データ一覧１９を初期状態として表示させることができる。
【００５２】
どのような最下位層の項目まで選択した状態の各階層１３〜１７及び概要データ一覧１９を初期状態として表示させるかは、情報端末１からユーザが設定したり、サーバシステム２が設定したりすることができる。また、設定内容は、ユーザ又はサーバシステム２が任意に編集することができる。
【００５３】
前記登録機能１１は、図９に示すデータ入力画面２２を情報端末１の画面上に表示して、データ入力画面２２上から、詳細データ２１及び概要データ１８を入力可能とし、入力された詳細データ２１及び概要データ１８をデータベース４に登録して、夫々表示可能とする機能である。
【００５４】
前記図９に示すデータ入力画面２２は、図３〜図８の画面上で、データ登録ボタン（図示しない）をクリックして表示される画面である。データ入力画面２２には、店舗又は個人の名称入力欄、住所入力欄、電話番号入力欄、概要データ１８用の１〜２行コメント入力欄、詳細データ２１用のコメント入力欄、写真添付欄等の各種データ入力欄２３が設けられており、データの提供を望むユーザが、情報端末１から詳細データ２１及び概要データ１８を入力できるようにしてある。また、データ入力画面２２には、登録ボタン２４が設けられており、登録ボタン２４を押すと、前記各種データ入力欄２３に入力した詳細データ２１及び概要データ１８をデータベース４に登録することができるようにしてある。データベース４に登録された詳細データ２１及び概要データ１８は、Ｗｅｂサイト（タウン情報提供サイト）上で、前記図３〜図８に示すような画面に表示されてネットワーク３を介して提供可能となる。
【００５５】
登録機能１１においては、サーバシステム２に、店舗又は個人の名称や住所等の必須項目が入力されていないデータの登録を規制させたり、Ｗｅｂサイト（タウン情報提供サイト）上での提供に適さないデータの登録を規制させたりすることもできる。
【００５６】
本発明のデータ表示システムは、図３、図４に示すように、画面中に検索キーワード入力欄３０及び検索開始ボタン３１を設け、データベース４に登録された詳細データ２１及び概要データ１８を検索することができるようにすることもできる。検索結果は、概要データ一覧１９に、検索キーワードに該当する概要データ１８を表示して行うことができるようにもしてある。
【００５７】
（実施形態２）
本発明のデータ表示プログラム、データ表示システムには、データの表示履歴を表示する履歴表示機能を設けたり、選択する頻度の高い項目を記憶して、表示したり、その項目を選択した状態を初期状態として初期設定したりする選択頻度登録機能等、上記の他にも任意の機能を設けることもできる。
【００５８】
（その他の実施形態）
本発明のデータ表示プログラム、そのプログラムを記録した記録媒体、データ表示システムは、前記実施形態１記載のタウン情報提供サイトにおけるタウン情報の提供には限られず、企業検索サイトや学校検索サイト等、データベースに登録した階層構造のデータを提供するＷｅｂサイトであれば、任意の分野のＷｅｂサイトに用いることができる。また、インターネットを介して情報を提供するＷｅｂサイトには限られず、例えば、企業等の団体内部における情報提供システム、イントラネットを用いて、社員等の団体の構成員へ情報提供する情報提供システム等に応用することもできる。
【産業上の利用可能性】
【００５９】
本発明のデータ表示プログラム、そのプログラムを記録した記録媒体、データ表示システムは、ネットワークを介しない場合の、コンピュータ内のデータを効率よく閲覧するプログラム、システム等としても応用することもできる。
【図面の簡単な説明】
【００６０】
【図１】本発明のデータ表示システムの実施形態例の一のシステム構成を示す図である。
【図２】本発明のデータ表示システムのサーバシステムの機能構成を機能ブロックにて示した図である。
【図３】本発明のデータ表示システムにおけるメイン画面を示す説明図。
【図４】図３のメイン画面から、第五階層の選択項目を切替えた画面を示す説明図。
【図５】図４の概要データ一覧中から、一の概要データを選択して詳細データ表示欄を表示させた画面を示す説明図。
【図６】図３のメイン画面から第一階層の選択項目を切替えた画面を示す説明図。
【図７】図３のメイン画面から第二階層の選択項目を切替えた画面を示す説明図。
【図８】本発明のデータ表示システムにおいて、階層項目を変更させた画面の一例を示す説明図。
【図９】本発明のデータ表示システムにおけるデータ入力画面を示す説明図。
【符号の説明】
【００６１】
１  情報端末
２  サーバシステム
３  ネットワーク
４  データベース
５  階層項目表示機能
６  データ表示機能
７  詳細データ表示機能
７０  表示切替え機能
８  項目切替え機能
９  階層編集機能
１０  初期設定機能
１１  登録機能
１２  メイン画面
１３  第一階層
１４  第二階層
１５  第三階層
１６  第四階層
１７  第五階層
１８  概要データ
１９  概要データ一覧
２０  詳細データ表示欄
２１  詳細データ
２２  データ入力画面
【図１】
2006301850.tif 000003
【図２】
2006301850.tif 000004
【図３】
2006301850.tif 000005
【図４】
2006301850.tif 000006
【図５】
2006301850.tif 000007
【図６】
2006301850.tif 000008
【図７】
2006301850.tif 000009
【図８】
2006301850.tif 000010
【図９】
2006301850.tif 000011